(57)【要約】【課題】この発明は、投影レンズを覆う開閉扉が設けられたプロジェクタ装置において、開閉部材が閉じている状態で光源ランプが点灯されるといったことを確実に防止できるプロジェクタ装置における光源ランプ駆動制御回路を提供することを目的とする。【解決手段】開閉部材の開閉状態を検出するための検出器、検出器の検出信号を増幅するための増幅部、および増幅部の出力信号とプロジェクタ装置の制御部からの光源ランプオンオフ制御信号とに基づいて、光源ランプをオンオフ制御するための制御回路を備えており、増幅部は、並列に接続された複数の増幅回路を備えている。【選択図】　図３
2004109369.tif 000002
【特許請求の範囲】
【請求項１】
投影レンズを覆う開閉部材を備えているプロジェクタ装置における光源ランプ駆動制御回路において、
開閉部材の開閉状態を検出するための検出器、検出器の検出信号を増幅するための増幅部、および増幅部の出力信号とプロジェクタ装置の制御部からの光源ランプオンオフ制御信号とに基づいて、光源ランプをオンオフ制御するための制御回路を備えており、増幅部は、並列に接続された複数の増幅回路を備えており、各増幅回路は、検出器の検出信号に応じてオンオフ制御されるトランジスタおよびトランジスタの出力端子にアノード側が接続されたダイオードとからなり、各トランジスタは、検出器の検出信号が開閉部材が開いていることを示す信号である場合にオンとなり、各増幅回路の出力信号が第１の電圧レベルとなり、各トランジスタは、検出器の検出信号が開閉部材が閉じていることを示す信号である場合にオフとなり、各増幅回路の出力信号が第２の電圧レベルとなり、
制御回路は、増幅部の出力信号が第１の電圧レベルであるときには、光源ランプオンオフ制御信号に応じて光源ランプをオンオフ制御し、増幅部の出力信号が第２の電圧レベルであるときには、光源ランプオンオフ制御信号にかかわらず光源ランプをオフ状態とさせる回路であることを特徴とするプロジェクタ装置における光源ランプ駆動制御回路。
【請求項２】
上記第１の電圧レベルがＬレベルであり、上記第２の電圧レベルがＨレベルであり、上記制御回路は、ＯＲゲート、ランプ駆動用電源回路および直流電源とを備えており、ＯＲゲートの一方の入力端子に増幅部の出力信号が入力され、他方の入力端子に光源ランプオンオフ制御信号が入力されており、ＯＲゲートの出力端子は抵抗を介して直流電源に接続されており、ＯＲゲートの出力端子と抵抗との接続点がランプ駆動用電源回路の制御入力端子に接続されており、ランプ駆動用電源回路は、その制御入力端子に入力される制御信号がＬレベルのときに光源ランプを点灯状態にさせ、制御入力端子に入力される制御信号がＨレベルのときに光源ランプを消灯状態にさせるものであることを特徴とする請求項１に記載のプロジェクタ装置における光源ランプ駆動制御回路。
【発明の詳細な説明】
【０００１】
【発明の属する技術分野】
この発明は、映像信号を光学信号に変換し、光学信号を投影レンズで拡大してスクリーンに投影するプロジェクタ装置に関し、特に投影レンズを覆う開閉部材を備えているプロジェクタ装置に関する。
【０００２】
【従来の技術】
プロジェクタ装置は、映像信号を処理する電子回路、映像信号を光学信号に変換するための液晶等の表示装置、光学信号の反射や屈折を行なう光学系、投影用の光源ランプ、光源ランプ等による熱を放散させるための冷却装置等を備えている。
【０００３】
ところで、プロジェクタ装置として、投影レンズを保護するために、投影レンズを覆うための扉が設けられたものがある。扉の開閉は手動操作によって行なわれる。このようなプロジェクタ装置においては、扉が閉じている場合に光源ランプを点灯させると、装置本体内が高温となるため、危険である。
【０００４】
そこで、本出願人は、扉が閉じている状態において光源ランプが点灯するのを防止するための光源ランプ駆動制御回路を開発した。
【０００５】
図５は、本出願人が開発した光源ランプ駆動制御回路の構成を示している。
【０００６】
扉開閉検出部１０は、扉の開閉状態を検出するためのスイッチ１１を備えている。スイッチ１１は、扉が閉まっている状態ではオフとなり、接触片が設置側に接続される。扉が開いている状態ではオンとなり、接触片が直流電源Ｖ１側に接続される。このため、扉が閉まっている場合にはスイッチ１１の出力信号ＡはＬレベルとなり、扉が開いている場合にはスイッチ１１の出力信号ＡはＨレベルとなる。
【０００７】
スイッチ１１の出力信号は、扉開閉検出部１０の出力端子１２を介して増幅部２０の入力端子２１に送られる。増幅部２０は、ＮＰＮ型のトランジスタ２２とダイオード２３とを備えている。トランジスタ２２のベースは、抵抗Ｒ１を介して増幅部２０の入力端子２１に接続されている。トランジスタ２２のコレクタは、抵抗Ｒ２を介して直流電源Ｖ２に接続されている。トランジスタ２２のエミッタは、接地されている。
【０００８】
トランジスタ２２のコレクタは、ダイオード２３のアノードに接続されている。ダイオード２３のカソードは、増幅部２０の出力端子２４を介してランプ駆動回路４０の入力端子４１に接続されている。
【０００９】
したがって、ダイオード２３の出力信号Ｂは、増幅部２０の出力端子２４に送られる。スイッチ１１の出力信号ＡがＬレベルである場合（扉が閉じている場合）には、トランジスタ２２はオフとなるため、ダイオード２３の出力信号ＢはＨレベルとなる。スイッチ１１の出力信号ＡがＨレベルである場合（扉が開いている場合）には、トランジスタ２２はオンとなるため、ダイオード２３の出力信号ＢはＬレベルとなる。
【００１０】
増幅部２０の出力端子２４とランプ駆動回路４０の入力端子４１とを結ぶ接続線の中間点には、図示しないＣＰＵからのランプ駆動制御信号Ｃがダイオード３１を介して入力されるようになっている。ランプ駆動制御信号Ｃは、ランプを点灯させる場合にはＬレベルとなり、ランプを消灯させる場合にはＨレベルとなる。ＣＰＵは、常時はランプ駆動制御信号ＣをＨレベルに保持している。そして、ＣＰＵは、操作部（リモコン送信機または装置本体に設けられた操作部）からのランプオン指令に応答して、ランプ駆動制御信号ＣをＬレベルとし、操作部からのランプオフ指令に応答して、ランプ駆動制御信号ＣをＨレベルとする。
【００１１】
ランプ駆動回路４０は、ランプ駆動用電源回路４２を備えている。ランプ駆動用電源回路４２の制御入力端子４２ａは、ランプ駆動回路４０の入力端子４１に接続されている。ランプ駆動用電源回路４２の出力端子は、ランプ駆動回路４０の出力端子４３、４４に接続されている。ランプ駆動回路４０の出力端子４３、４４は、光源ランプ５０の入力端子５１、５２に接続されている。
【００１２】
ランプ駆動用電源回路４２は、制御入力端子４２ａに入力される信号ＤがＬレベルのときに光源ランプ５０に電源を供給し、制御入力端子４２ａに入力される信号ＤがＨレベルのときに光源ランプ５０への電源の供給を停止状態にする。
【００１３】
扉が開いている場合の動作と、扉が閉じている場合の動作について説明する。
【００１４】
（１）扉が開いている場合
扉が開いている場合には、スイッチ１１の出力信号ＡはＨレベルとなり、ダイオード２３の出力信号ＢはＬレベルとなる。この状態において、ＣＰＵからのランプ駆動制御信号ＣがＬレベルになると、ランプ駆動回路４０の入力端子４１に入力される信号ＤはＬレベルとなり、ランプ駆動用電源回路４２から光源ランプ５０に電源が供給されるので、光源ランプ５０が点灯状態となる。
【００１５】
ＣＰＵからのランプ駆動制御信号ＣがＨレベルになると、ランプ駆動回路４０の入力端子４１に入力される信号ＤはＨレベルとなり、ランプ駆動用電源回路４２から光源ランプ５０への電源の供給が停止状態となるので、光源ランプ５０が消灯状態となる。
【００１６】
つまり、扉が開いている状態においては、ＣＰＵからのランプ駆動制御信号ＣがＬレベルになると光源ランプ５０が点灯状態となり、ＣＰＵからのランプ駆動制御信号ＣがＨレベルになると光源ランプ５０が消灯状態となる。
【００１７】
（２）扉が閉じている場合
扉が閉じている場合には、スイッチ１１の出力信号ＡはＬレベルとなり、ダイオード２３の出力信号ＢはＨレベルとなる。この状態において、ＣＰＵからのランプ駆動制御信号ＣがＨレベルになると、ランプ駆動回路４０の入力端子４１に入力される信号ＤはＨレベルとなり、光源ランプ５０が消灯状態となる。
【００１８】
また、ＣＰＵからのランプ駆動制御信号ＣがＬレベルになっても、ランプ駆動回路４０の入力端子４１に入力される信号ＤはＨレベルとなるため、光源ランプ５０が消灯状態となる。
【００１９】
つまり、扉が閉じている状態においては、ＣＰＵからのランプ駆動制御信号Ｃにかかわらず、光源ランプ５０は消灯状態を維持する。
【００２０】
上記のような光源ランプ駆動制御回路では、次のような問題がある。
【００２１】
ランプ駆動回路４０の入力端子４１に信号を入力するための配線が外れた場合には、ランプ駆動用電源回路４２の制御入力端子４２ａへの入力信号ＤがＬレベルとなるため、扉が閉じている場合でも光源ランプ５０が点灯してしまう。
【００２２】
また、トランジスタ２２のコレクタとエミッタとがハンダタッチによって短絡したり、トランジスタ２２のコレクタとベースとがハンダタッチによって短絡したりした場合には、扉が閉じている状態においても、トランジスタ２２がオンとなり、ダイオード２３の出力信号ＢはＬレベルとなってしまう。そうすると、ユーザ操作等によってＣＰＵからのランプ駆動制御信号ＣがＬレベルになると光源ランプ５０が点灯してしまう。
【００２３】
【発明が解決しようとする課題】
この発明は、投影レンズを覆う開閉部材が設けられたプロジェクタ装置において、開閉部材が閉じている状態で光源ランプが点灯されるといったことを確実に防止できるプロジェクタ装置における光源ランプ駆動制御回路を提供することを目的とする。
【００２４】
【課題を解決するための手段】
請求項１に記載の発明は、投影レンズを覆う開閉部材を備えているプロジェクタ装置における光源ランプ駆動制御回路において、開閉部材の開閉状態を検出するための検出器、検出器の検出信号を増幅するための増幅部、および増幅部の出力信号とプロジェクタ装置の制御部からの光源ランプオンオフ制御信号とに基づいて、光源ランプをオンオフ制御するための制御回路を備えており、増幅部は、並列に接続された複数の増幅回路を備えており、各増幅回路は、検出器の検出信号に応じてオンオフ制御されるトランジスタおよびトランジスタの出力端子にアノード側が接続されたダイオードとからなり、各トランジスタは、検出器の検出信号が開閉部材が開いていることを示す信号である場合にオンとなり、各増幅回路の出力信号が第１の電圧レベルとなり、各トランジスタは、検出器の検出信号が開閉部材が閉じていることを示す信号である場合にオフとなり、各増幅回路の出力信号が第２の電圧レベルとなり、制御回路は、増幅部の出力信号が第１の電圧レベルであるときには、光源ランプオンオフ制御信号に応じて光源ランプをオンオフ制御し、増幅部の出力信号が第２の電圧レベルであるときには、光源ランプオンオフ制御信号にかかわらず光源ランプをオフ状態とさせる回路であることを特徴とする。
【００２５】
請求項２に記載の発明は、請求項１に記載のプロジェクタ装置における光源ランプ駆動制御回路において、上記第１の電圧レベルがＬレベルであり、上記第２の電圧レベルがＨレベルであり、上記制御回路は、ＯＲゲート、ランプ駆動用電源回路および直流電源とを備えており、ＯＲゲートの一方の入力端子に増幅部の出力信号が入力され、他方の入力端子に光源ランプオンオフ制御信号が入力されており、ＯＲゲートの出力端子は抵抗を介して直流電源に接続されており、ＯＲゲートの出力端子と抵抗との接続点がランプ駆動用電源回路の制御入力端子に接続されており、ランプ駆動用電源回路は、その制御入力端子に入力される制御信号がＬレベルのときに光源ランプを点灯状態にさせ、制御入力端子に入力される制御信号がＨレベルのときに光源ランプを消灯状態にさせるものであることを特徴とする。
【００２６】
【発明の実施の形態】
以下、図面を参照して、この発明を液晶プロジェクタ装置に適用した場合の実施の形態について説明する。
【００２７】
図１および図２は、液晶プロジェクタの外観を示している。
【００２８】
液晶プロジェクタ本体の前面には、吸気孔部１０１、リモコン受光部１０２、投影レンズ１０３等が設けられている。液晶プロジェクタ本体の上面には、電源ボタン１０４、各種操作ボタン１０５が設けられている。液晶プロジェクタ本体の側面には、排気孔部１０６が設けられている。液晶プロジェクタ本体には、液晶プロジェクタの前面を閉鎖するための扉（投影レンズ１０３を覆うための開閉部材）１１０が開閉自在に設けられている。
【００２９】
図３は、光源ランプ駆動制御回路の構成を示している。
【００３０】
扉開閉検出部１０は、扉１１０の開閉状態を検出するためのスイッチ１１を備えている。スイッチ１１は、扉１１０が閉まっている状態ではオフとなり、接触片が設置側に接続される。扉１１０が開いている状態ではオンとなり、接触片が直流電源Ｖ１側に接続される。このため、扉１１０が閉まっている場合にはスイッチ１１の出力信号ＡはＬレベルとなり、扉１１０が開いている場合にはスイッチ１１の出力信号ＡはＨレベルとなる。
【００３１】
スイッチ１１の出力信号Ａは、扉開閉検出部１０の出力端子１２を介して増幅部２０の入力端子２１に送られる。増幅部２０は、並列に接続された２組の増幅回路を備えている。各増幅回路は、ＮＰＮ型のトランジスタとダイオードとからなる。
【００３２】
一方の増幅回路のトランジスタ２２ａのベースは、抵抗Ｒ１を介して増幅部２０の入力端子２１に接続されている。トランジスタ２２ａのコレクタは、抵抗Ｒ２を介して直流電源Ｖ２に接続されている。トランジスタ２２ａのエミッタは、接地されている。トランジスタ２２ａのコレクタは、ダイオード２３ａのアノードに接続されている。ダイオード２３ａのカソードは、増幅部２０の出力端子２４に接続されている。ダイオード２３ａの出力信号をＢ１で表す。
【００３３】
他方の増幅回路のトランジスタ２２ｂのベースは、抵抗Ｒ３を介して増幅部２０の入力端子２１に接続されている。トランジスタ２２ｂのコレクタは、抵抗Ｒ２を介して直流電源Ｖ２に接続されている。トランジスタ２２ｂのエミッタは、接地されている。トランジスタ２２ｂのコレクタは、ダイオード２３ｂのアノードに接続されている。ダイオード２３ｂのカソードは、増幅部２０の出力端子２４に接続されている。ダイオード２３ｂの出力信号をＢ２で表す。
【００３４】
スイッチ１１の出力信号ＡがＬレベルである場合（扉が閉じている場合）には、各トランジスタ２２ａ、２２ｂはオフとなるため、各ダイオード２３ａ、２３ｂの出力信号Ｂ１、Ｂ２はＨレベルとなり、増幅部２０の出力端子２４に現れる電圧（信号Ｂ）はＨレベルとなる。スイッチ１１の出力信号ＡがＨレベルである場合（扉が開いている場合）には、各トランジスタ２２ａ、２２ｂはオンとなるため、各ダイオード２３ａ、２３ｂの出力信号Ｂ１、Ｂ２はＬレベルとなり、増幅部２０の出力端子２４に現れる電圧（信号Ｂ）はＬレベルとなる。
【００３５】
増幅部２０の出力端子２４は、ＯＲゲート３０の第１入力端子に接続されている。ＯＲゲート３０の第２入力端子には、図示しないＣＰＵからのランプ駆動制御信号Ｃが入力されるようになっている。ランプ駆動制御信号Ｃは、ランプを点灯させる場合にはＬレベルとなり、ランプを消灯させる場合にはＨレベルとなる。ＣＰＵは、常時はランプ駆動制御信号ＣをＨレベルに保持している。そして、ＣＰＵは、操作部（リモコン送信機または装置本体に設けられた操作部）からのランプオン指令に応答して、ランプ駆動制御信号ＣをＬレベルとし、操作部からのランプオフ指令に応答して、ランプ駆動制御信号ＣをＨレベルとする。
【００３６】
ＯＲゲート３０の出力端子は、ランプ駆動回路４０の入力端子４１に接続されている。ＯＲゲート３０の出力信号をＤで表す。ランプ駆動回路４０は、ランプ駆動用電源回路４２を備えている。ランプ駆動回路４０の入力端子４１は、抵抗Ｒ４を介して直流電源Ｖ３に接続されている。ランプ駆動回路４０の入力端子４１と抵抗Ｒ４との接続点が、ランプ駆動用電源回路４２の制御入力端子４２ａに接続されている。ランプ駆動用電源回路４２の出力端子は、ランプ駆動回路４０の出力端子４３、４４に接続されている。ランプ駆動回路４０の出力端子４３、４４は、光源ランプ５０の入力端子５１、５２に接続されている。
【００３７】
ランプ駆動用電源回路４２は、制御入力端子４２ａに入力される信号ＥがＬレベルのときに光源ランプ５０に電源を供給し、制御入力端子４２ａに入力される信号ＥがＨレベルのときに光源ランプ５０への電源の供給を停止状態にする。
【００３８】
扉１１０が開いている場合の動作と、扉１１０が閉じている場合の動作について説明する。
【００３９】
（１）扉１１０が開いている場合
扉１１０が開いている場合には、スイッチ１１の出力信号ＡはＨレベルとなり、増幅部２０の出力端子２４に現れる電圧（信号Ｂ）はＬレベルとなる。この状態において、ＣＰＵからのランプ駆動制御信号ＣがＬレベルになると、ＯＲゲート３０の出力信号ＤがＬレベルとなり、ランプ駆動用電源回路４２の制御入力端子４２ａに入力される信号ＥはＬレベルとなり、ランプ駆動用電源回路４２から光源ランプ５０に電源が供給されるので、光源ランプ５０が点灯状態となる。
【００４０】
ＣＰＵからのランプ駆動制御信号ＣがＨレベルになると、ＯＲゲート３０の出力信号ＤがＨレベルとなり、ランプ駆動用電源回路４２の制御入力端子４２ａに入力される信号ＥはＨレベルとなり、ランプ駆動用電源回路４２から光源ランプ５０への電源の供給が停止状態となるので、光源ランプ５０が消灯状態となる。
【００４１】
つまり、扉１１０が開いている状態においては、ＣＰＵからのランプ駆動制御信号ＣがＬレベルになると光源ランプ５０が点灯状態となり、ＣＰＵからのランプ駆動制御信号ＣがＨレベルになると光源ランプ５０が消灯状態となる。
【００４２】
（２）扉１１０が閉じている場合
扉１１０が閉じている場合には、スイッチ１１の出力信号ＡはＬレベルとなり、増幅部２０の出力端子２４に現れる電圧（信号Ｂ）はＨレベルとなる。この状態において、ＣＰＵからのランプ駆動制御信号ＣがＨレベルになると、ＯＲゲート３０の出力信号ＤがＨレベルとなり、ランプ駆動用電源回路４２の制御入力端子４２ａに入力される信号ＥはＨレベルとなるので、光源ランプ５０が消灯状態となる。
【００４３】
また、ＣＰＵからのランプ駆動制御信号ＣがＬレベルになっても、ＯＲゲート３０の出力信号ＤがＨレベルとなるため、ランプ駆動用電源回路４２の制御入力端子４２ａに入力される信号ＥはＨレベルとなるので、光源ランプ５０が消灯状態となる。
【００４４】
つまり、扉１１０が閉じている状態においては、ＣＰＵからのランプ駆動制御信号Ｃにかかわらず、光源ランプ５０は消灯状態を維持する。
【００４５】
この実施の形態における光源ランプ駆動制御回路では、図５の光源ランプ駆動制御回路に比べて次のような利点がある。
【００４６】
ランプ駆動回路４０の入力端子４１に信号を入力するための配線が外れたとしても、ランプ駆動用電源回路４２の制御入力端子４２ａへの入力信号ＥがＨレベルとなるため、扉１１０が閉じているときに光源ランプ５０が点灯するといったことが防止される。
【００４７】
また、増幅部２０内の２組の増幅回路のうち、一方の増幅回路内のトランジスタのコレクタとエミッタとがハンダタッチによって短絡したり、トランジスタのコレクタとベースとがハンダタッチによって短絡したりすることによって、一方の増幅回路内のトランジスタが扉１１０が閉じている状態においてオンしたとしても、扉１１０が閉じているときに光源ランプ５０が点灯するといったことが防止される。
【００４８】
以下、この理由について説明する。
【００４９】
図４は、増幅部２０内の２組の増幅回路のうち、一方の増幅回路内のトランジスタ２２ｂが上述したような要因によって常にオン状態となった場合の、等価回路を示している。
【００５０】
扉１１０が閉じている場合には、スイッチ１１の出力信号Ａは、Ｌレベルであるため、動作が正常な方の増幅回路内のトランジスタ２２ａはオフとなり、この増幅回路内のダイオード２３ａの出力信号Ｂ１はＨレベルとなる。これに対して、トランジスタが常時オンとなっている方の増幅回路内のダイオード２３ｂの出力信号Ｂ２はＬレベルとなる。しかしながら、動作が正常な方の増幅回路内のダイオード２３ａの出力信号Ｂ１はＨレベルであれば、動作が正常でない方の増幅回路内のダイオード２３ｂの出力信号Ｂ２はＬレベルとなっても、増幅部２０の出力端子２４に現れる電圧（信号Ｂ）はＨレベルとなる。このため、扉１１０が閉じている場合に、光源ランプ５０が点灯するといったことが防止される。
【００５１】
安全性をさらに高めるために、ソフト面においても対策をこうじることが好ましい。つまり、スイッチ１１の出力信号ＡをＣＰＵに入力させることにより、ＣＰＵに扉１１０の開閉状態を認識できるようにしておく。そして、扉１１０が開いているとＣＰＵが認識している場合には、操作部（リモコン送信機または装置本体に設けられた操作部）からの光源ランプ５０のオン指令を有効として取り扱い、扉１１０が閉じているとＣＰＵが認識している場合には、操作部からの光源ランプ５０のオン指令を無効なものとして取り扱う。さらに、光源ランプ５０が点灯している状態において、スイッチ１１の出力信号ＡがＬレベルになったときには、ランプ駆動制御信号ＣをＨレベルに制御することにより、光源ランプ５０を強制的にオフさせるようにする。
【００５２】
なお、装置本体に設けられた操作部に扉１１０の開閉状態を示す発光ダイオード等のインジケータを設けておくことが好ましい。装置本体に設けられた操作部に扉１１０の開閉状態を示す発光ダイオードを設けた場合には、ＣＰＵは、例えば、スイッチ１１の出力信号Ａに基づいて、扉１１０が開いていると認識した場合には発光ダイオードをオンさせ、扉１１０が閉まっていると認識した場合には発光ダイオードをオフさせるようにすればよい。
【００５３】
【発明の効果】
この発明によれば、光学系を覆う開閉部材が設けられたプロジェクタ装置において、開閉部材が閉じている状態で光源ランプが点灯されるといったことを確実に防止できるようになる。
【図面の簡単な説明】
【図１】液晶プロジェクタの外観を示し、扉が開いている状態を示す斜視図である。
【図２】液晶プロジェクタの外観を示し、扉が閉まっている状態を示す斜視図である。
【図３】光源ランプ駆動制御回路の構成を示す電気回路図である。
【図４】増幅部２０内の２組の増幅回路のうち、一方の増幅回路内のトランジスタ２２ｂが常にオン状態となった場合の、等価回路を示す電気回路図である。
【図５】本出願人が開発した光源ランプ駆動制御回路の構成を示す電気回路図である。
【符号の説明】
１０　扉開閉検出部
１１　スイッチ
２０　増幅部
２２ａ、２２ｂ　トランジスタ
２３ａ、２３ｂ　ダイオード
３０　ＯＲゲート
４０　ランプ駆動回路
４２　ランプ駆動用電源回路
５０　光源ランプ
１１０　扉
【図１】
2004109369.tif 000003
【図２】
2004109369.tif 000004
【図３】
2004109369.tif 000005
【図４】
2004109369.tif 000006
【図５】
2004109369.tif 000007